(57)【要約】【課題】熱交換器を通過する空気の流れを改善すると共に、より正確な値を検出するように配置した温度センサ及び／または湿度センサを備えた空気調和機を提供する。【解決手段】本体に吸込口５ａと吹出口５ｂを有し、これら吸込口５ａ及び吹出口５ｂを連通する通風路６に熱交換器８及び送風機９を備え、前記熱交換器８の吸込面に空気清浄フィルタ１３を収納するフィルタ枠１４と温度センサ２１を取り付けるセンサ固定具１８とを設けた空気調和機３において、前記センサ固定具１８をフィルタ枠１４の下方に配置し、前記フィルタ枠１４は下端部に空気清浄フィルタ１３を挿脱する開口部を設けるとともに、空気清浄フィルタ１３の挿脱方向がセンサ固定具１８の上方になるように前記フィルタ枠１４を設けた。【選択図】            図１
2005003221.tif 000002
【特許請求の範囲】
【請求項１】
本体に吸込口と吹出口を有し、これら吸込口及び吹出口を連通する通風路に熱交換器及び送風機を備え、前記熱交換器の吸込面に空気清浄フィルタを収納するフィルタ枠とセンサを支持するセンサ固定具とを取り付けた空気調和機において、
前記センサ固定具をフィルタ枠の下方に配置し、前記フィルタ枠は下端部に空気清浄フィルタを挿脱する開口部を設けると共に、空気清浄フィルタの挿脱方向がセンサ固定具の上方になるように前記フィルタ枠を設けたことを特徴とする空気調和機。
【請求項２】
前記センサ固定具には温度センサ及び／または湿度センサとを支持することを特徴とする請求項１に記載の空気調和機。
【請求項３】
前記熱交換器は前面を斜め上向きにして設けたことを特徴とする請求項１または２に記載の空気調和機。
【請求項４】
前記吸込口にはプレフィルタを設けたことを特徴とする請求項１〜３のいずれかに記載の空気調和機。
【発明の詳細な説明】
【０００１】
【発明の属する技術分野】
本発明は、室内に設置される空気調和機に関し、特に室内機内に配置されるセンサに関する。
【０００２】
【従来の技術】
従来、室内の壁等に設置された空気調和機の室内機内に、熱交換器と送風機とを備え、この送風機により吸込口から吸い込まれる空気を、前記熱交換器で熱交換させて吹出口から吹き出させる形式の空気調和機が知られている（例えば、特許文献１参照）。
【０００３】
この種の空気調和機では、一般に、熱交換器の風上側にプレフィルタ、温度センサ、湿度センサ及び空気清浄フィルタを備え、温度センサ及び湿度センサは空気清浄フィルタの表面に取り付けられ、室内温度及び室内湿度を検出している。
【０００４】
【特許文献１】
特開平１１−２３０６０１公報
【０００５】
【発明が解決しようとする課題】
しかしながら、前記センサ類を空気清浄フィルタの表面に取り付けた場合、通風路の一部が空気清浄フィルタとセンサ類とで二重に妨げられるため、一部分だけ空気の通りが悪くなり、空気の流れにむらが生じて熱交換効率に影響を与えるという問題があった。
【０００６】
さらに、前記センサ類を空気清浄フィルタの風下側に配置したときには、空気清浄フィルタでセンサ類に当たる風量が少なくなり室内の温度及び／または湿度を正確に検出できないという問題があった。
【０００７】
そこで、本発明の目的は、上述した従来の技術が有する課題を解消し、熱交換器を通過する空気の流れを改善すると共に、より正確な値を検出するように配置した温度センサ及び／または湿度センサを備えた空気調和機を提供することにある。
【０００８】
【課題を解決するための手段】
上記目的を達成するために、請求項１に記載の発明は、本体に吸込口と吹出口を有し、これら吸込口及び吹出口を連通する通風路に熱交換器及び送風機を備え、前記熱交換器の吸込面に空気清浄フィルタを収納するフィルタ枠とセンサを支持するセンサ固定具とを取り付けた空気調和機において、前記センサ固定具をフィルタ枠の下方に配置し、前記フィルタ枠は下端部に空気清浄フィルタを挿脱する開口部を設けると共に、空気清浄フィルタの挿脱方向がセンサ固定具の上方になるように前記フィルタ枠を設けたことを特徴とする。
【０００９】
請求項２に記載の発明は、請求項１に記載の空気調和機において、前記センサ固定具には温度センサ及び／または湿度センサとを支持することを特徴とする。
【００１０】
請求項３に記載の発明は、請求項１または２に記載の空気調和機において、前記熱交換器は前面を斜め上向きにして設けたことを特徴とする。
【００１１】
請求項４に記載の発明は、請求項１〜３のいずれかに記載の空気調和機において、前記吸込口にはプレフィルタを設けたことを特徴とする。
【００１２】
【発明の実施の形態】
以下、本発明の一実施形態について図面を参照して説明する。図１は本発明の一実施形態における壁埋形空気調和機の縦断面図、図２は図１の分解斜視図である。
【００１３】
図１において、１は室内の壁板を示す。この壁板１の所定位置には、取付用開口２が形成されており、この取付用開口２の内側部分には、所定の空気調和機３が取り付けられている。
【００１４】
図１、図２において、前記空気調和機３は筐体３Ａと前面グリル４とを備え、この前面グリル４はグリル枠４ａとグリル部４ｂとを有して筐体３Ａの前面に設けられる。グリル枠４ａは筐体３Ａに固定され、グリル部４ｂはグリル枠４ａに対し着脱自在に取り付けられている。この前面グリル４には吸込口５ａ及び吹出口５ｂが形成され、筐体３Ａ内には吸込口５ａ及び吹出口５ｂを結ぶ通風路６が形成されている。また前面グリル４の内側には、吸込口５ａを全面的に覆うプレフィルタ７が配設され、筐体３Ａの前面に着脱自在に取り付けられる。
【００１５】
前記通風路６には、熱交換器８及びクロスフローファンを有する送風機９が配設されている。熱交換器８は、略上半分が前面を斜め上向きに傾斜し、下半分が垂直に設けられ略くの字状に形成されている。この熱交換器８には熱交換器８の右端から上方に延出する補助配管１０ａ、１０ｂが設けられ、これら補助配管１０ａ、１０ｂ及びユニット間配管（図示せず）を介して空気調和機（室内機）３が図示しない室外機（冷媒圧縮機、四方弁、室外熱交換器および減圧装置を内蔵する）に接続されている。そして室外機から冷媒が導通されるようになっている。
【００１６】
前面グリル４の吸込口５ａから吸い込まれた空気は、プレフィルタ７で除塵された後、熱交換器８に至り、ここで空気調和された後、送風機９を介して前面グリル４の下部に形成された吹出口５ｂから被調和室内に吹き出される。
【００１７】
熱交換器８の下方にはドレンパン１１が配設され、このドレンパン１１には熱交換器８の表面に生じたドレンが滴下される。
【００１８】
前記熱交換器８の右方には、筐体３Ａの縦方向にほぼ一杯に延在する電装箱１２が配置されている。この電装箱１２には、図示を省略した制御基板が配置され、この制御基板には、温度センサ・湿度センサの接続線や、送風機９のモータ制御線、熱交換器８に付設された電磁弁の制御線等が接続されている。
【００１９】
図３は、前面グリルを外した状態を示す空気調和機の正面図、図４はセンサ固定具付近の拡大図である。
【００２０】
図３において、この空気調和機３の正面には、熱交換器８が露出し、この熱交換器８の空気吸込側の上半部８ａ上部には空気清浄フィルタ１３（以下単に空清フィルタという）を収納する薄い箱状のフィルタ枠１４が左右にそれぞれ取り付けられている。これらフィルタ枠１４、１４は前後を格子状に形成された前板１４ａと後板１４ｂとで形成され、後板１４ｂの左右両端には、図２に示すように、後方に突出する突起片１５、１５が形成されている。これら突起片１５、１５は後方に長めになっており、突起片１５の先端が熱交換器４に設けられたフィン間に挿入され、熱交換器４の空気吸込面とフィルタ枠１４の後板１４ｂの内側とが平行、かつ距離Ｓ（図１参照）をあけて固定される。またフィルタ枠１４の下端部には挿脱用開口部１６が形成され、空清フィルタ１３を挿脱できるようになっている。空清フィルタ１３の下縁部には取っ手１７が形成され、この取っ手１７を持って前記挿脱用開口部１６から空清フィルタ１３を挿入することにより空清フィルタ１３を容易に収納することができる。空清フィルタ１３が収納されると仮固定されて下方にずり落ちないようになっており、空清フィルタ１３を外すときには仮固定が簡単に外れるようになっている。
【００２１】
また、熱交換器８の空気吸込側の上半部８ａ下部には、センサ固定具１８が設けられ、このセンサ固定具１８の内部には、吸込空気の温度を検出する温度センサ２１と湿度を検出する湿度センサ２２が取り付けられている。このセンサ固定具１８の高さＴは、前記フィルタ枠１４の後板１４ｂ内側と熱交換器４の吸込面との距離Ｓより小さくなっており、空清フィルタ１３の挿脱に際し、邪魔にならないようになっている。また熱交換器８の上半部８ａ下部は通風路６（図１参照）のほぼ中央に位置し、風量の最も多い箇所であり、吸込口５ａより吸い込まれた室内の空気がセンサ類２１、２２により多く当たるようになっている。
【００２２】
このように、熱交換器８の通風量の多い位置にセンサ類２１、２２を設けたので、センサの検出値をより正確に検出でき、またフィルタ枠１４を熱交換器８の吸込面から離して設けているので、センサ固定具１８等の高さの低い部品が空清フィルタ１３の挿脱方向にあっても邪魔にならずに容易に挿脱することができる。これにより空清フィルタ１３の交換作業を容易に行うことができる。
【００２３】
以上、一実施形態に基づいて本発明を説明したが、本発明は、これに限定されるものではなく、種々変更が可能である。
【００２４】
本実施形態では壁埋形空気調和機３で説明しているが、壁掛形空気調和機であっても良い。
【００２５】
また、本実施形態では熱交換器８の吸込面とフィルタ枠１４の後面とを平行にして取り付けているが、熱交換器８の吸込面からの距離をフィルタ枠１４の上部より下部の方が大きくなるように角度をつけて取り付けるようにしても良い。これにより、空清フィルタ１３の挿脱方向が熱交換器８から離れるようになり、空清フィルタ１３の挿脱に際しセンサ固定具１８が邪魔にならないようになる。
【００２６】
【発明の効果】
以上説明したように、本発明の空気調和機は、空気清浄フィルタを収納するフィルタ枠を、熱交換器の吸込面から離して取り付け、かつ下端部に空気清浄フィルタを挿脱する開口部を設けているので、同じ吸込面の下方に設けた部品（センサ固定具）が挿脱に際し邪魔にならず、空気清浄フィルタの交換作業を容易に行うことができる。
【００２７】
また、熱交換器の通風量の多い位置にセンサ類を設けているので、センサの検出値をより正確に検出できる。
【図面の簡単な説明】
【図１】本発明の一実施形態における壁埋形空気調和機の縦断面図である。
【図２】図１の壁埋形空気調和機の分解斜視図である。
【図３】図１の前面グリルを外した状態を示す壁埋形空気調和機の正面図である。
【図４】図３のセンサ付近を示す要部拡大図である。
【符号の説明】
３  空気調和機
３Ａ  筐体
４  前面グリル
４ａ  グリル枠
５ａ  吸込口
５ｂ  吹出口
６  通風路
７  プレフィルタ
８  熱交換器
８ａ  熱交換器上半部
９  送風機
１３  空気清浄フィルタ
１４  フィルタ枠
１４ｂ  フィルタ枠の後板
１５  突起片
１６  挿脱用開口部
１８  センサ固定具
２１  温度センサ
２２  湿度センサ
Ｔ  センサ固定具の高さ寸法
Ｓ  熱交換器の吸込面とフィルタ枠後面との距離
【図１】
2005003221.tif 000003
【図２】
2005003221.tif 000004
【図３】
2005003221.tif 000005
【図４】
2005003221.tif 000006